(57)【特許請求の範囲】
【請求項１】
リモートコントローラの２分割された一方の部材にラックを固定し、他方の部材を前記ラックと摺動自在に嵌合させ、前記ラックの歯を係止し弾性変形可能な爪を前記他方の部材に締着し、前記２分割された部材が離れる方向には前記爪が弾性変形して前記ラックの歯を乗り越えることにより前記他方の部材が移動可能であり、前記２分割された部材が近付く方向には前記爪の弾性変形が前記他方の部材により規制され前記他方の部材が移動不可能であり、前記リモートコントローラをステアリングホイールの隣合うスポーク間に前記ステアリングホイールの外輪に隣接するように配置し前記２分割された部材を互いに離れる方向に移動させ、その両端に設けた凹みが前記各スポークと嵌合するようにして固定されることを特徴とする車載用電子機器のリモートコントローラ。
【請求項２】
リモートコントローラの２分割された夫々の部材の両側に夫々凹みと突起を設け、前記２分割された夫々の部材をステアリングホイールの隣合うスポーク間に前記ステアリングホイールの外輪に隣接しかつ前記凹みが前記スポークと嵌合するように対向配置し、前記２分割された夫々の部材の間に穴を有するゴム弾性のブロックを弾性変形させて前記夫々の部材の突起を前記穴と嵌合させて固定されることを特徴とする車載用電子機器のリモートコントローラ。
【請求項３】
前記リモートコントローラの側面に凹部を設けこの凹部をステアリングホイールの外輪と嵌合させた請求項１または２のいずれか１項に記載した車載用電子機器のリモートコントローラ。
【発明の詳細な説明】
【０００１】
【発明の属する技術分野】
この発明は車載用電子機器を制御するリモートコントローラに係わり、特に、車両のステアリングホイールに取付けるリモートコントローラに関する。
【０００２】
【従来の技術】
従来、カーラジオ、カーステレオ等の車載用電子機器を制御するリモートコントローラを車両のステアリングホイールに取付けて使用することがあった。その場合、図７および図８に示すように、リモートコントローラ１２をバンド１３によりステアリングホイールの外輪７に締め付けて固定していた。
【０００３】
また、図９および図１０に示すように、リモートコントローラ１４をステアリングホイールのスポーク８の裏側に両面テープ１５を介して貼着することも行われていた。
【０００４】
【発明が解決しようとする課題】
上記した図７および図８に示す方法によると、リモートコントローラ１２は外輪７回りには摩擦力のみにより拘束されているので、バンド１３の締着力が弱い場合やバンド１３が緩んだ場合には、つまみ１２ａを強く押すとリモートコントローラ１２が外輪７回りに回ってしまうことがあった。
【０００５】
また、図９および図１０に示す方法では、ステアリングホイールの裏面には凹凸があるため、両面テープ１５の十分な接着強度が得られず、使用中にリモートコントローラ１４が脱落することがあった。
【０００６】
この発明は上記した点に鑑みてなされたものであって、その目的とするところは、固定するために大きい締着力を必要とすることなく、ステアリングホイールに対してずれや脱落の恐れのないように固定できるリモートコントローラを提供することにある。
【０００７】
【課題を解決するための手段】
この発明の車載用電子機器のリモートコントローラは、リモートコントローラの２分割された一方の部材にラックを固定し、他方の部材を前記ラックと摺動自在に嵌合させ、前記ラックの歯を係止し弾性変形可能な爪を前記他方の部材に締着し、前記２分割された部材が離れる方向には前記爪が弾性変形して前記ラックの歯を乗り越えることにより前記他方の部材が移動可能であり、前記２分割された部材が近付く方向には前記爪の弾性変形が前記他方の部材により規制され前記他方の部材が移動不可能であり、前記リモートコントローラをステアリングホイールの隣合うスポーク間に前記ステアリングホイールの外輪に隣接するように配置し前記２分割された部材を互いに離れる方向に移動させ、その両端に設けた凹みが前記各スポークと嵌合するようにして固定されるものである。
【０００８】
また、この発明の車載用電子機器のリモートコントローラは、リモートコントローラの２分割された夫々の部材の両側に夫々凹みと突起を設け、前記２分割された夫々の部材をステアリングホイールの隣合うスポーク間に前記ステアリングホイールの外輪に隣接しかつ前記凹みが前記スポークと嵌合するように対向配置し、前記２分割された夫々の部材の間に穴を有するゴム弾性のブロックを弾性変形させて前記夫々の部材の突起を前記穴と嵌合させて固定されるものである。
【００１０】
さらに、前記各車載用電子機器のリモートコントローラにおいて、前記リモートコントローラの側面に凹部を設けこの凹部をステアリングホイールの外輪と嵌合させたものである。
【００１１】
【発明の実施の形態】
この発明の実施例である車載用電子機器のリモートコントローラを図面に基づいて説明する。図１はこの発明の第１の実施例である車載用電子機器のリモートコントローラを示す斜視図、図２（ａ）は同リモートコントローラの一部断面を示す側面図、図２（ｂ）は図２（ａ）におけるＡ−Ａ断面図である。
【００１２】
リモートコントローラは図１および図２に示す操作部１、支持部２およびスペーサ３等により構成されている。操作部１には車載用電子機器を操作するためのつまみ１ａ、１ａ…が設けられている。支持部２に締着されたラック４は操作部１と摺動自在に嵌合する。板ばねで作られた爪５はねじ６で操作部１に締着されており、ラック４を係止する。
【００１３】
すなわち、図２における矢印Ｂ方向に支持部２を移動させるときは、爪５が点線で示す位置に変形してラック４との係合が離れ支持部２の移動を可能とするが、支持部２が矢印Ｂと反対方向に移動させようとしてもラック４が爪５に係止されて移動できない。なお、ねじ６を外すことにより分解することは可能である。
【００１４】
操作部１と支持部２の先端には図１に示すようにＲ形状の凹みが設けられている。また、図２では見えていないが操作部１と支持部２の背面にも断面円弧状の凹みが設けられている。
【００１５】
図３および図４により上記のリモートコントローラを車両のステアリングホイールに取付ける方法を説明する。リモートコントローラは図３に示すステアリングホイールの外輪７とスポーク８、８とで囲まれた斜線で示すＡの部分に取付けられる。
【００１６】
すなわち、図４に示すように操作部１と支持部２とを矢印Ｂ方向に移動させて両端のＲ形状凹みをステアリングホイールのスポーク８と嵌合させる。このとき操作部１と支持部２の背面の断面円弧状の凹みも外輪７と嵌合状態とされている。
【００１７】
その後、図１に説明したスペーサ３を弾性変形させて操作部１と支持部２の間でラック４と嵌合させる。スペーサ３のサイズは車種に夫々適合するものが準備されている。この状態では操作部１と支持部２の端部の凹みが夫々スポーク８および外輪８と嵌合し、背面の断面円弧状の凹みも外輪７と嵌合状態しているのでリモートコントローラの位置がずれたり脱落することがない。
【００１８】
図５はリモートコントローラの操作部１のつまみ１ａを操作する状態を示す。リモートコントローラは外輪８から外側に突出していないので運転操作の邪魔になることはなく、また、つまみ１ａをつよく押してもリモートコントローラが動かないので操作しやすい。
【００１９】
図６はこの発明の第２の実施例である車載用電子機器のリモートコントローラを示す斜視図である。この例では、操作部９に設けた突起９ｂと支持部１０に設けた突起１０ａがゴム弾性を有するブロック１１の穴１１ａに嵌合する構成となっている。ブロック１１を弾性変形させることにより操作部９と支持部１０とを第１の実施例と同様にステアリングホイールに取付けることができる。
【００２０】
そして、第１の実施例と同様に操作部９と支持部１０の両端および背後のＲ形状の凹みがステアリングホイールのスポークおよび外輪と嵌合するので、操作部９のつまみ９ａを強く押してもリモートコントローラが動くことはない。
【００２１】
【発明の効果】
この発明の車載用電子機器のリモートコントローラによれば、車両のステアリングに取付けた状態で強くつまみを押しても動くことがなく、また、脱落のおそれがない。そして、両面テープ等を使用しないのでステアリングホイールを傷つけることもない。
【図面の簡単な説明】
【図１】この発明の第１の実施例である車載用電子機器のリモートコントローラを示す斜視図である。
【図２】図２（ａ）は同リモートコントローラの一部断面を示す側面図、図２（ｂ）は図２（ａ）におけるＡ−Ａ断面図である。
【図３】同リモートコントローラが取付けられるステアリングホイールを示す斜視図である。
【図４】同リモートコントローラが取付けられた状態を示す斜視図である。
【図５】同リモートコントローラの使用状態を一部断面として示す側面図である。
【図６】この発明の第２の実施例である車載用電子機器のリモートコントローラを示す斜視図である。
【図７】従来の車載用電子機器のリモートコントローラが取付けられた状態の例を示す正面図である。
【図８】図７の部分拡大図である。
【図９】従来の車載用電子機器のリモートコントローラが取付けられた状態の他の例を示す正面図である。
【図１０】同状態を一部断面として示す側面図である。
【符号の説明】
１  操作部、１ａ  つまみ
２  支持部
３  スペーサ
４  ラック
５  爪
６  ねじ
７  外輪
８  スポーク
９  操作部、９ａ  つまみ、９ｂ  突起
１０  支持部、１０ａ  突起
１１  ブロック、１１ａ  穴
１２  リモートコントローラ
１３  バンド
１４  リモートコントローラ
１５  両面テープ
【図１】
0003798603.tif 000002
【図２】
0003798603.tif 000003
【図３】
0003798603.tif 000004
【図４】
0003798603.tif 000005
【図５】
0003798603.tif 000006
【図６】
0003798603.tif 000007
【図７】
0003798603.tif 000008
【図８】
0003798603.tif 000009
【図９】
0003798603.tif 000010
【図１０】
0003798603.tif 000011